(57)【要約】      （修正有）【課題】レシートについて、プライバシーの漏が無く、取引内容を容易に利用できるようにすること。【解決手段】レシート１を、商品の購入・サービスの提供などの取引に関する取引内容情報を表面に印字発行されるレシート１であって、当該取引内容情報及び取引に関わる金額情報の書き込み及び読み出し可能に構成された記憶媒体２を前記レシートの印字後に取り付ける電子レシートとした。【選択図】図１
2005332214.tif 000002
【特許請求の範囲】
【請求項１】
商品の購入・サービスの提供などの取引に関する取引内容情報を表面に印字発行されるレシートであって、当該取引内容情報及び取引に関わる金額情報の書き込み及び読み出し可能に構成された記憶媒体を前記レシートの印字後に取り付けることを特徴とする電子レシート。
【請求項２】
消費者の購入する商品の清算に小売店が用いるレジスターであって、
取引内容をレシート表面に印字する機能と、
記憶媒体に、取引内容情報及び取引に関わる金額情報を格納する機能と、
情報を格納した記憶媒体をレシートに貼り付けて、請求項１に記載の電子レシートを作成する機能と、
作成した電子レシートを出力する機能とを有することを特徴とするレジスター。
【請求項３】
請求項１に記載の各々の電子レシートの記憶媒体から、各々の記憶媒体が記憶している情報を、非接触かつ同時に読み取る機能と、
読み取った各情報を、一定期間ごと、購入品目の属性ごとに集計して、一定期間ごとの購入品目別の合計金額を算出する機能と、
各々の合計金額に関してリストを作成する機能と、
作成したリストを印刷する機能とを有することを特徴とする集計システム。
【請求項４】
消費者の購入する商品の清算に小売店が用いるレジスターが実行する方法であって、
取引内容をレシート表面に印字する工程と、
記憶媒体に、取引内容情報及び取引に関わる金額情報を格納する工程と、
情報を格納した記憶媒体をレシートに貼り付けて請求項１に記載の電子レシートをする機能と、
作成した電子レシートを出力する工程とを含むことを特徴とする電子レシートの作成方法。
【請求項５】
集計システムが実行する方法であって、
請求項１に記載の各々の電子レシートの記憶媒体から、各々の記憶媒体が記憶している情報を、非接触かつ同時に読み取る工程と、
読み取った各情報を、一定期間ごと、購入品目の属性ごとに集計して、一定期間ごとの購入品目別の合計金額を算出する工程と、
各々の合計金額に関してリストを作成する工程と、
作成したリストを印刷する工程とを含むことを電子レシートの使用方法。
【発明の詳細な説明】
【技術分野】
【０００１】
本発明は、レシートに関する。
【背景技術】
【０００２】
一般に、消費者と小売店との間で取引がなされると、小売店から消費者に、取引内容が、紙や電子メールなどの媒体で提供される。例えば、消費者が、小売店の店頭で買い物をすると、小売店は、レジスターから、取引内容が印字されたレシートを出力して、消費者に渡す。
【０００３】
また一般に、小売店には、消費者の支払った対価に応じてポイントを与え、そのポイントを消費者ごとにサーバ等で管理し、その累積ポイントによって景品と交換したり値引きしたりするポイントシステムを採用しているところがある。ポイントシステムを採用すると、各消費者の購入品に対する履歴や購入金額等のデータを、消費者の知らないうちに小売店側で蓄積することができる。
【０００４】
ところで、取引内容を、消費者が利用しようとすると、個々の購入品についてのデータを、パソコン等に入力したり、あるいは家計簿に転記したりしなければならないという負担が生じる。
【０００５】
またポイントシステムでは、消費者が小売店にポイントカードを提示することによって、この消費者の購入履歴等が小売店に記録されることが可能であるので、この消費者のプライバシーが漏れる。
【発明の開示】
【発明が解決しようとする課題】
【０００６】
本発明は斯かる背景技術に鑑みてなされたもので、レシートについて、プライバシーの漏が無く、取引内容を容易に利用できるようにすることを課題とする。
【課題を解決するための手段】
【０００７】
本発明において上記の課題を達成するために、まず請求項１の発明では、商品の購入・サービスの提供などの取引に関する取引内容情報を表面に印字発行されるレシートであって、当該取引内容情報及び取引に関わる金額情報の書き込み及び読み出し可能に構成された記憶媒体を前記レシートの印字後に取り付けることを特徴とする電子レシートとしたものである。
【０００８】
また請求項２の発明では、消費者の購入する商品の清算に小売店が用いるレジスターであって、
取引内容をレシート表面に印字する機能と、
記憶媒体に、取引内容情報及び取引に関わる金額情報を格納する機能と、
情報を格納した記憶媒体をレシートに貼り付けて、請求項１に記載の電子レシートを作成する機能と、
作成した電子レシートを出力する機能とを有することを特徴とするレジスターとしたものである。
【０００９】
また請求項３の発明では、
請求項１に記載の各々の電子レシートの記憶媒体から、各々の記憶媒体が記憶している情
報を、非接触かつ同時に読み取る機能と、
読み取った各情報を、一定期間ごと、購入品目の属性ごとに集計して、一定期間ごとの購入品目別の合計金額を算出する機能と、
各々の合計金額に関してリストを作成する機能と、
作成したリストを印刷する機能とを有することを特徴とする集計システムとしたものである。
【００１０】
また請求項４の発明では、消費者の購入する商品の清算に小売店が用いるレジスターが実行する方法であって、
取引内容をレシート表面に印字する工程と、
記憶媒体に、取引内容情報及び取引に関わる金額情報を格納する工程と、
情報を格納した記憶媒体をレシートに貼り付けて請求項１に記載の電子レシートをする機能と、
作成した電子レシートを出力する工程とを含むことを特徴とする電子レシートの作成方法としたものである。
【００１１】
また請求項５の発明では、集計システムが実行する方法であって、
請求項１に記載の各々の電子レシートの記憶媒体から、各々の記憶媒体が記憶している情報を、非接触かつ同時に読み取る工程と、
読み取った各情報を、一定期間ごと、購入品目の属性ごとに集計して、一定期間ごとの購入品目別の合計金額を算出する工程と、
各々の合計金額に関してリストを作成する工程と、
作成したリストを印刷する工程とを含むことを電子レシートの使用方法としたものである。
【発明の効果】
【００１２】
請求項１の発明では、各々の電子レシートの記憶媒体が記憶している取引内容情報及び取引に関わる金額情報を、リーダで読み取って、コンピュータで容易に利用できるという効果がある。また、請求項１の発明では、電子レシートには、消費者個人を特定する情報が含まれていないので、消費者ごとの購入履歴が知られることが無く、それゆえ、プライバシーが漏れことが無いという効果もある。
【００１３】
請求項２及び４の発明では、請求項１に記載の電子レシートを容易に作成できるという効果がある。
【００１４】
請求項３及び５の発明では、各々の電子レシートの記憶媒体が記憶している情報を、一定期間ごと、購入品目の属性ごとに集計して、一定期間ごとの購入品目別の合計金額のリストを印刷することが容易に行えるという効果がある。
【発明を実施するための最良の形態】
【００１５】
以下に、本実施形態の最良の一実施形態を説明する。
【００１６】
本実施形態の電子レシートは、図１に例示するように、表面に取引内容が印字されているレシート１の下部に、ＩＣタグ等の記憶媒体２を一つ貼り付け、この記憶媒体に、この取引に関する、購入日、購入品目の属性、購入品目の属性別の金額等を表すデータを格納したものである。
【００１７】
記憶媒体２は、非接触で、データを読書き可能なものである。
【００１８】
記録媒体２は、例えば、裏面に粘着剤が塗布されているシール形状とし、この接着剤を
介して、レシート１に貼り付けても良い。
【００１９】
電子レシートは、レシート１の下部に、ＩＣタグ等の記憶媒体２が一つ貼り付けられており、また、レシート１の長さが一定ではないので、リーダが、複数枚の電子レシートの記憶媒体から、各々の記憶媒体が記憶しているデータを、非接触かつ同時に読み取る際に、コリジョンが防止されるという効果がある。
【００２０】
本実施形態のレジスターは、図２に例示するような、記憶媒体供給用ロールを備える。このロールは、裏面に粘着剤が塗布されているシール形状の記録媒体４を、粘着剤を介して、複数、セパレータ３に貼り付けたものを、ロール状に巻いたものである。
【００２１】
本実施形態のレジスターは、レシートに取引内容を印字する時に、記憶媒体供給用ロールの端の記録媒体４１に、この取引に関する、購入日、購入品目の属性、購入品目の属性別の金額等を表すデータを非接触で格納する。図３に、記憶媒体に格納されたデータの構造を例示する。そして、本実施形態のレジスターは、印字終了後に、このデータを格納した記録媒体４１を、セパレータ３から剥がし、レシートの下部に貼り付けることにより、電子レシートを作成して出力する。
【００２２】
本実施形態のレジスターは、小売店の店舗に設置される。
【００２３】
本実施形態の集計システムは、リーダとプリンタとを備えたパソコン等のコンピュータである。
【００２４】
リーダは、複数枚の電子レシートの記憶媒体から、各々の記憶媒体が記憶しているデータを、非接触かつ同時に読み取り、読み取った各データをコンピュータに送信する装置である。
【００２５】
コンピュータは、リーダから送信された各データを、一定期間（例えば１ヶ月）ごと、購入品目の属性ごとに集計して、一定期間（例えば１ヶ月）ごとの購入品目別の合計金額を算出する。
【００２６】
コンピュータは、各々の合計金額に関してリストを作成して、プリンタで印刷する。
【００２７】
複数枚の電子レシートの記憶媒体が記憶している各データが、それぞれ図５〜図７に示すようなものである場合、これらのデータから作成したリストを、図８に示す。
【００２８】
本実施形態の集計システムは、小売店又は消費者の自宅に設置される。
【００２９】
以下に、本実施形態のレジスターを、小売店の店舗で利用可能にする作業の流れの例を、図９のフローチャートに従って、説明する。
【００３０】
Ｓ（ＳＴＥＰ）１；
小売店は、本実施形態のレジスターを導入する。
【００３１】
Ｓ（ＳＴＥＰ）２；
小売店は、導入した本実施形態のレジスターを随時、点検し、メンテナンス等を行う。
【００３２】
Ｓ（ＳＴＥＰ）３；
レジ係は、レシート用紙、又は、記憶媒体供給用ロールが消耗した場合、補充する。
【００３３】
以下に、本実施形態のレジスターを利用して、清算を行う作業の流れの例を、図１０のフローチャートに従って説明する。
【００３４】
Ｓ（ＳＴＥＰ）１；
レジ係は、消費者の購入予定商品の金額を、本実施形態のレジスターに登録し、本実施形態のレジスターで、総額を計算して消費者に表示する。
【００３５】
Ｓ（ＳＴＥＰ）２；
消費者は、支払を行う。
【００３６】
Ｓ（ＳＴＥＰ）３；
本実施形態のレジスターは、取引内容をレシート表面に印字し、一つの記憶媒体に、この取引に関する、購入日、購入品目の属性、購入品目の属性別の金額等を表すデータを格納し、データを格納した記憶媒体をレシートに貼り付けることにより、電子レシートを作成して出力する。尚、本実施形態のレジスターは、消費者に、レシートにＩＣタグを貼り付けるか否かの選択をさせても良い。これによって、小売店側は、コストを削減できる。
【００３７】
Ｓ（ＳＴＥＰ）４；
レジ係は、本実施形態のレジスターから出力された電子レシートを釣り銭等と一緒に消費者に渡す。
【００３８】
Ｓ（ＳＴＥＰ）５；
消費者は、渡された電子レシートの印字内容から、取引内容の確認を行う。
【００３９】
以下に、本実施形態の集計システムを利用して、電子レシートの記憶媒体に格納されているデータについて、集計を行う作業の流れの例を、図１１のフローチャートに従って説明する。
【００４０】
Ｓ（ＳＴＥＰ）１；
消費者が、自宅又は小売店に設置されたリーダに、電子レシートをかざすと、リーダは、電子レシートの記憶媒体から、その記憶媒体に格納されているデータ（購入日、購入品目の属性、購入品目の属性別の金額）を読み取る。消費者が、複数の電子レシートをかざした場合、リーダは、複数の電子レシートの記憶媒体から、それぞれの記憶媒体に格納されている各データを、同時に読み取る。
【００４１】
Ｓ（ＳＴＥＰ）２；
リーダは、読み取った各データを、コンピュータに送信する。
【００４２】
Ｓ（ＳＴＥＰ）３；
コンピュータは、リーダから送信された各データを受信し、一定期間（例えば１ヶ月）ごと、購入品目の属性ごとに集計して、一定期間（例えば１ヶ月）ごとの購入品目別の合計金額を算出し、各々の合計金額に関してリストを作成する。
【００４３】
Ｓ（ＳＴＥＰ）４；
コンピュータは、リストをプリンタで印刷して消費者に提供する。
【図面の簡単な説明】
【００４４】
【図１】本実施形態の電子レシートを例示する図。
【図２】記憶媒体供給用ロールを例示する図。
【図３】記憶媒体に格納されたデータの構造を例示する図。
【図４】本実施形態の集計システムの構成を例示する図。
【図５】電子レシートの記憶媒体に記憶しているデータの例を示す図。
【図６】電子レシートの記憶媒体に記憶しているデータの例を示す図。
【図７】電子レシートの記憶媒体に記憶しているデータの例を示す図。
【図８】複数枚の電子レシートの記憶媒体が記憶している各データが、それぞれ図５〜図７に示すようなものである場合、これらのデータから作成したリストを示す図。
【図９】本実施形態のレジスターを、小売店の店舗で利用可能にする作業の流れの例を示すフローチャート。
【図１０】本実施形態のレジスターを利用して、清算を行う作業の流れの例を示すフローチャート。
【図１１】本実施形態の集計システムを利用して、電子レシートの記憶媒体に格納されているデータについて、集計を行う作業の流れの例を示すフローチャート。
【符号の説明】
【００４５】
１…レシート
２…記憶媒体
３…セパレータ
４…記憶媒体
４１…ロールの端の記憶媒体
【図１】
2005332214.tif 000003
【図２】
2005332214.tif 000004
【図３】
2005332214.tif 000005
【図４】
2005332214.tif 000006
【図５】
2005332214.tif 000007
【図６】
2005332214.tif 000008
【図７】
2005332214.tif 000009
【図８】
2005332214.tif 000010
【図９】
2005332214.tif 000011
【図１０】
2005332214.tif 000012
【図１１】
2005332214.tif 000013